(57)【要約】【課題】複数色の粉体化粧料を用いて美しい円形状のグラデーション模様を容易に形成する。【解決手段】使用者が把持する把持部３と、把持部３に軸線回りに回転自在に装着され、粉体化粧料Ａ，Ｂを塗布可能な塗布体４と、を備え、塗布体４を、先細りのテーパ状に構成することによって、使用者は把持部３を把持し、複数色の並んでいる粉体化粧料Ａ，Ｂに跨がるようにして、テーパ状の塗布体４を粉体化粧料Ａ，Ｂの表面で転がすように回転させ、並んでいる粉体化粧料Ａ，Ｂに対応したグラデーション模様Ｘを塗布体４に容易に付着させ、次いで、グラデーション模様Ｘが付着した塗布体４を、その先端側から被塗布部に押し付け、塗布体４の回転を拘束した状態で当該塗布体４からグラデーション模様Ｘを被塗布部に塗布し、径方向に濃淡を有する円形状のグラデーション模様を被塗布部に容易に形成する。【選択図】図３
2015062636.tif 000002
【特許請求の範囲】
【請求項１】
使用者が把持するための把持部と、
前記把持部に軸線回りに回転自在に装着され、粉体化粧料を塗布可能な塗布体と、を備え、
前記塗布体は、先細りのテーパ状に構成されることを特徴とする化粧料塗布具。
【請求項２】
前記塗布体は、弾性体から形成されていることを特徴とする請求項１記載の化粧料塗布具。
【請求項３】
請求項１又は２記載の化粧料塗布具と、複数色の粉体化粧料が平面視において並ぶ化粧料容器と、を備えたことを特徴とする化粧料セット。
【請求項４】
前記化粧料容器の前記粉体化粧料同士の境目が、平面視三角波形状とされていることを特徴とする請求項３記載の化粧料セット。
【発明の詳細な説明】
【技術分野】
【０００１】
本発明は、化粧料塗布具、及び、この化粧料塗布具と化粧料容器を備えた化粧料セットに関する。
【背景技術】
【０００２】
従来、複数色の粉体化粧料を用いてグラデーション模様を例えば顔等の被塗布部に形成するには、例えばブラシ又はパフ等の塗布体を用いて粉体化粧料を１色ずつ塗布しなければならないため、煩雑な動作が要求されると共に、美しいグラデーション模様を形成するには高度な技量が必要とされていた。
【０００３】
一方、化粧料を容易に被塗布部に塗布できる手段としては、以下の特許文献１、２に記載の化粧料容器が知られている。
【０００４】
特許文献１に記載の化粧料容器は、例えば円形断面又は楕円形断面又は多角形断面等の形状を呈し粉体化粧料を塗布するためのアプリケータを蓋として備え、このアプリケータを、粉体化粧料を収容した容器本体に対して蓋することにより、アプリケータに粉体化粧料を容易に付着させることができ、また、アプリケータに付着した粉体化粧料を顔へ塗布する場合には、アプリケータを支持する部分が変形することにより、アプリケータによる顔への押圧力を軽減できると共に、アプリケータが捩れて当該アプリケータが顔に容易に馴染み、容易な塗布を可能とするものである。
【０００５】
特許文献２に記載の化粧料容器は、液状化粧料を収容する容器本体に対して、円筒形状のパフを外嵌した支持部材が回転可能に装着され、使用者が指で容器本体を押圧することにより、容器本体内の液状化粧料が、支持部材内、パフ先端を介し排出されて皮膚へ容易に供給でき、この液状化粧料を、円筒形状のパフを回転させながら皮膚上で伸ばすことによって、容易に均一に塗布できるものである。
【先行技術文献】
【特許文献】
【０００６】
【特許文献１】特許３８２６０６７号公報
【特許文献２】特表２０１１−５１６２３４号公報
【発明の概要】
【発明が解決しようとする課題】
【０００７】
しかしながら、上記何れの化粧料容器にあっても、被塗布部にグラデーション模様を形成するにあたっては、化粧料を１色ずつ塗布しなくてはならないことには変わりはなく、複数色の粉体化粧料を用いて美しいグラデーション模様を容易に形成することはできない。
【０００８】
そこで、本発明は、複数色の粉体化粧料を用いて美しいグラデーション模様を容易に形成できる化粧料塗布具、及び、この化粧料塗布具と化粧料容器を備えた化粧料セットを提供することを目的とする。
【課題を解決するための手段】
【０００９】
本発明による化粧料塗布具は、使用者が把持するための把持部と、把持部に軸線回りに回転自在に装着され、粉体化粧料を塗布可能な塗布体と、を備え、塗布体は、先細りのテーパ状に構成されることを特徴としている。
【００１０】
このような化粧料塗布具によれば、以下の使用方法を採ることができる。すなわち、先ず、使用者は把持部を把持し、例えば複数色の粉体化粧料に跨がるようにして、テーパ状の塗布体を粉体化粧料の表面で転がすように回転させることによって、並んでいる粉体化粧料に対応したグラデーション模様を塗布体に容易に付着させることができる。次いで、グラデーション模様が付着した塗布体を、その先端側から例えば顔等の被塗布部に押し付けることによって、塗布体の回転を拘束した状態で当該塗布体からグラデーション模様を被塗布部に塗布でき、径方向に濃淡を有する円形状のグラデーション模様を被塗布部に容易に形成できる。従って、複数色の粉体化粧料を用いて美しい円形状のグラデーション模様を容易に形成できる。
【００１１】
ここで、塗布体は、弾性体から形成されているのが好ましい。このような構成を採用した場合、塗布体が粉体化粧料の表面で回転する際に、当該塗布体が径方向に潰れ変形するため、粉体化粧料同士の境目がぼやけたグラデーション模様を好適に塗布体に付着させることができ、このグラデーション模様が付着した塗布体を被塗布部に押し付ける際に、当該塗布体が軸線方向に潰れ変形するため、境目が一層ぼやけたグラデーション模様を好適に被塗布部に塗布でき、一層美しい円形状のグラデーション模様を形成できる。また、このように、塗布体を被塗布部に押し付ける際に当該塗布体が潰れ変形するため、塗布感が良い。
【００１２】
また、本発明による化粧料セットは、上記化粧料塗布具と、複数色の粉体化粧料が平面視において並ぶ化粧料容器と、を備えたことを特徴としている。
【００１３】
このような化粧料セットによれば、複数色の粉体化粧料が平面視において並ぶ化粧料容器を備えているため、当該化粧料容器を用いることで、上記作用、すなわち、並んでいる粉体化粧料に対応したグラデーション模様を、塗布体を回転させることで当該塗布体に容易に付着させることができるという作用を好適に奏することができる。
【００１４】
また、化粧料容器の粉体化粧料同士の境目が、平面視三角波形状とされているのが好ましい。このような構成を採用した場合、塗布体が粉体化粧料の表面で回転する際に、粉体化粧料同士の境目が両粉体化粧料の中間色として塗布体に付着するため、一層境目がぼやけたグラデーション模様を塗布体に付着でき、一層美しい円形状のグラデーション模様を被塗布部に形成できる。
【発明の効果】
【００１５】
このように本発明によれば、複数色の粉体化粧料を用いて美しい円形状のグラデーション模様を容易に形成できる化粧料塗布具及び化粧料セットを提供できる。
【図面の簡単な説明】
【００１６】
【図１】本発明の実施形態に係る化粧料塗布具及び化粧料容器を備えた化粧料セットを示す斜視図である。
【図２】図１中の化粧料塗布具を示す縦断面図である。
【図３】図１に示す化粧料セットの使用方法を説明するための図であり、塗布体に粉体化粧料を付着させる際の説明図である。
【図４】図３に続く使用方法を説明するための図であり、顔に粉体化粧料を塗布する際の説明図である。
【図５】図４に示す塗布により顔に円形状のグラデーション模様が形成された様子を示す説明図である。
【図６】化粧料容器の複数色の粉体化粧料の他の例を示す平面図である。
【図７】化粧料容器の複数色の粉体化粧料のさらに他の例を示す平面図である。
【図８】化粧料容器の複数色の粉体化粧料のさらに他の例を示す平面図である。
【発明を実施するための形態】
【００１７】
以下、本発明による化粧料塗布具及び化粧料セットの好適な実施形態について図１〜図８を参照しながら説明する。
【００１８】
図１は、本発明の実施形態に係る化粧料塗布具及び化粧料容器を備えた化粧料セットを示す斜視図、図２は、化粧料塗布具を示す縦断面図、図３及び図４は、化粧料セットの使用方法を示す説明図、図５は、化粧料セットの使用により顔に形成されたグラデーション模様を示す説明図であり、本実施形態の化粧料セットは、粉体化粧料を被塗布部に塗布する際に用いられるものであり、特に円形状のグラデーション模様を例えば顔等にチークとして形成するのに好適なものである。
【００１９】
図１に示すように、化粧料セット１０は、粉体化粧料を被塗布部に塗布するための化粧料塗布具１と、粉体化粧料を収容する化粧料容器２と、をセットとして具備するものである。
【００２０】
化粧料塗布具１は、図２に示すように、使用者が把持するための把持部３と、粉体化粧料を付着させて塗布するための塗布体４と、塗布体４を保持すると共に把持部３に回転自在に支持される回転軸５と、を備える。
【００２１】
把持部３は、有底円筒状に構成され、底部の中央に円筒状の突出部３ａが立設される。突出部３ａの内周面には、円環状の凸部３ｃが、回転軸５を軸線方向に係合するためのものとして設けられる。
【００２２】
塗布体４は、先端側が先細りのテーパ状に構成されて先端が丸い略円錐形状を呈し、後部側が後方へ膨出する略ドーム形状を呈する。この塗布体４は弾性体から形成され、例えば顔等に塗布感良く塗布すべく、ここでは、スポンジが用いられている。
【００２３】
回転軸５は、軸線方向中程に鍔部５ｂを有する軸体である。鍔部５ｂは、放射状に広がると共に上方に湾曲する形状を呈し、塗布体４の台座として機能する。また、回転軸５の後半部の外周面には、把持部３の凸部３ｃに軸線方向に係合するための円環状の凹部５ｃが設けられる。
【００２４】
この回転軸５は、その鍔部５ｂより前側の先端部５ａが、塗布体４の底部から軸線方向中程まで進入し、その鍔部５ｂが塗布体４の底部側の面に密着した状態で、塗布体４が先端部５ａに嵌着され固定される。また、回転軸５は、その後側から突出部３ａ内に挿入され、その凹部５ｃが把持部３の凸部３ｃに軸線方向に係合することで、把持部３に回転自在に支持される。すなわち、塗布体４は、把持部３に軸線回りに回転自在に装着される。
【００２５】
なお、化粧料塗布具１は、塗布体４を保護すべく、把持部３に対して着脱自在に装着されるキャップ１１を備える。
【００２６】
図１に示すように、化粧料容器２は、容器本体６の後端側と蓋７の後端側とがヒンジ９により結合されることで、容器本体６に対して蓋７が開閉可能とされるもので、容器本体６に、複数色（ここでは２色）の粉体化粧料Ａ，Ｂを収容する。
【００２７】
粉体化粧料Ａ，Ｂは、平面視において並び、具体的には、容器本体６の側端縁に沿う縦方向に並ぶと共に、粉体化粧料Ａ，Ｂの各々が、前端縁及び後端縁に沿う横方向に十分に延びることによって、縞状を呈している。これらの粉体化粧料Ａ，Ｂは、中皿８内に充填され、中皿８は、容器本体６に形成された凹部６ａ内に収容される。
【００２８】
なお、ここでは、凹部６ａ内に、粉体化粧料Ａ，Ｂを充填した中皿８を収容するようにしているが、凹部６ａ内に直接粉体化粧料Ａ，Ｂが収容されていても良い。また、ここでは、上側の粉体化粧料Ａの色は濃く、下側の粉体化粧料Ｂは、粉体化粧料Ａに比して薄い色とされている。また、粉体化粧料Ａ，Ｂの縦方向の長さは、ここでは、均等とされている。
【００２９】
次に、上記化粧料セット１０の使用方法について説明する。
【００３０】
先ず、使用者は把持部３を把持し、図３に示すように、粉体化粧料Ａ，Ｂに跨がるようにテーパ状の塗布体４を当て、次いで、把持部３を、粉体化粧料Ａ，Ｂの延在方向（横方向）に沿って移動させ、塗布体４を粉体化粧料Ａ，Ｂの表面で転がすように回転させる。すると、並んでいる粉体化粧料Ａ，Ｂに対応したグラデーション模様Ｘを塗布体４に付着させることができる。なお、粉体化粧料Ａ，Ｂ同士の境目Ｅ（図１及び図３参照）は、粉体化粧料Ａ，Ｂが塗布体４に付着することで、当該塗布体４において、ぼやけたものとなる。
【００３１】
次いで、図４に示すように、使用者Ｐは、グラデーション模様Ｘが付着した塗布体４を、その先端側から被塗布部である顔Ｗに押し付け、塗布体４の回転を拘束した状態で当該塗布体４からグラデーション模様Ｘを顔Ｗに塗布する。
【００３２】
すると、図５に示すように、径方向に濃淡を有する円形状のグラデーション模様Ｙが顔Ｗに形成される。具体的には、中央に濃い円形の模様が形成され、これより薄い円環状の模様が中央の濃い円形より外側に形成され、全体では、径方向に濃淡を有する（径方向外側へ行くに従い淡くなる）と共に境目が一層ぼやけた円形状のグラデーション模様Ｙが形成される。
【００３３】
このように、本実施形態の化粧料塗布具１及び化粧料セット１０においては、使用者Ｐが把持するための把持部３と、把持部３に軸線回りに回転自在に装着され粉体化粧料Ａ，Ｂを塗布可能な塗布体４と、を備え、塗布体４は、先細りのテーパ状に構成されているため、上述した使用方法を採ることによって、回転する塗布体４により、並んでいる粉体化粧料Ａ，Ｂに対応したグラデーション模様Ｘを当該塗布体４に容易に付着させることができると共に、この塗布体４をその先端側から顔Ｗに押し付けることにより、径方向に濃淡を有する円形状のグラデーション模様Ｙを顔Ｗに容易に形成でき、従って、複数色の粉体化粧料Ａ，Ｂを用い美しい円形状のグラデーション模様Ｙを容易に形成できる。
【００３４】
また、本実施形態においては、塗布体４が弾性体から形成されているため、塗布体４が粉体化粧料Ａ，Ｂの表面で回転する際に、当該塗布体４が径方向に潰れ変形する。このため、粉体化粧料Ａ，Ｂ同士の境目がぼやけたグラデーション模様Ｘを好適に塗布体４に付着させることができる。また、このように塗布体４が弾性体から形成されているため、グラデーション模様Ｘが付着した塗布体４をその先端側から顔Ｗに押し付ける際に、当該塗布体４が軸線方向に潰れ変形する。このため、境目が一層ぼやけたグラデーション模様Ｙを好適に顔Ｗに塗布でき、一層美しい円形状のグラデーション模様Ｙを形成できる。また、このように、塗布体４を顔Ｗに押し付ける際に当該塗布体４が潰れ変形するため、塗布感が良い。
【００３５】
図６、図７は、化粧料容器の複数色の粉体化粧料の他の例を示す平面図である。
【００３６】
図６は、粉体化粧料Ａ，Ｂの縦方向の長さが均等ではない例を示すもので、粉体化粧料Ｂの方が長くとされている。なお、ここでは、粉体化粧料Ｂの方が長くとされているが、粉体化粧料Ａの方が長くされていても良い。
【００３７】
図７は、３色以上の粉体化粧料を並設した例を示すもので、４色の粉体化粧料Ａ，Ｂ，Ｃ，Ｄが並設されている。なお、ここでは、粉体化粧料Ａ，Ｃ，Ｄ，Ｂの順で色が薄くなっているが、粉体化粧料の並び順は、これに限定されるものではなく、例えば、上から粉体化粧料Ｄ，Ｃ，Ａ，Ｂ等の並びであっても良い。また、３色や５色以上であっても勿論良い。
【００３８】
このような図６、図７に示す複数色の粉体化粧料であっても、図１に示す粉体化粧料とほぼ同様な作用・効果を奏する。
【００３９】
図８は、化粧料容器の複数色の粉体化粧料のさらに他の例を示す平面図である。ここでは、粉体化粧料Ａ，Ｂ同士の境目Ｅが直線ではなく、平面視三角波形状とされている。
【００４０】
このように境目Ｅが平面視三角波形状であると、塗布体４が粉体化粧料Ａ，Ｂの表面で回転する際に、粉体化粧料Ａ，Ｂ同士の境目Ｅが両粉体化粧料Ａ，Ｂの中間色として塗布体４に付着する。このため、一層境目がぼやけたグラデーション模様Ｘを塗布体４に付着させることができ、一層美しい円形状のグラデーション模様Ｙを顔Ｗに形成できる。
【００４１】
なお、中間色を得るのに特に好ましいとして、粉体化粧料Ａ，Ｂ同士の境目Ｅを平面視三角波形状としているが、例えば、平面視正弦波形状や、平面視矩形波形状や、平面視鋸波形状としても良い。
【００４２】
以上、本発明をその実施形態に基づき具体的に説明したが、本発明は上記実施形態に限定されるものではなく、例えば、上記実施形態においては、特に好適であるとして、弾性体をスポンジとしているが、他の柔らかい発泡体や、柔らかいゴム等でもあっても良い。
【符号の説明】
【００４３】
１…化粧料塗布具、２…化粧料容器、３…把持部、４…塗布体、１０…化粧料セット、Ａ，Ｂ，Ｃ，Ｄ…粉体化粧料、Ｅ…境目、Ｐ…使用者、Ｗ…顔（被塗布部）、Ｘ，Ｙ…グラデーション模様。
【図２】
2015062636.tif 000003
【図１】
2015062636.tif 000004
【図３】
2015062636.tif 000005
【図４】
2015062636.tif 000006
【図５】
2015062636.tif 000007
【図６】
2015062636.tif 000008
【図７】
2015062636.tif 000009
【図８】
2015062636.tif 000010